(57)【要約】【課題】  尿道カテーテル患者が車椅子に座った状態で排尿が可能なように、蓄尿バッグを車椅子に簡単に着脱できるようにすることである。【解決手段】  車椅子ＷのフレームＦの前部に、左右一対のフットサポート９を取付けるために、当該フレームＦに後傾姿勢で一体に連結された左右一対のフットフレーム部８の一方に蓄尿バッグＢ1 を取付けるための蓄尿バッグ取付け具Ａ1 であって、前記一対のフットフレーム部８の一方に着脱可能に嵌着されるフレーム嵌着部２１と、前記フレーム嵌着部２１に一体に設けられて、前記フットフレーム部８の外側に前記蓄尿バッグＢ1 が吊下げ配置されるように、当該蓄尿バッグＢ1 の吊下げ孔５２に挿入されるか又は蓄尿バッグＢ2 の吊下げハンガー５３が引っ掛けられる吊下げフック部２３とを備えた構成とする。【選択図】  図１
2019030397.tif 000002
【特許請求の範囲】
【請求項１】
車椅子のフレームの前部に、左右一対のフットサポートを取付けるために、当該フレームに後傾姿勢で一体に連結された左右一対のフットフレーム部の一方に蓄尿バッグを取付けるための蓄尿バッグ取付け具であって、
前記一対のフットフレーム部の一方に着脱可能に嵌着されるフレーム嵌着部と、
前記フレーム嵌着部に一体に設けられて、前記フットフレーム部の外側に前記蓄尿バッグが吊下げ配置されるように、当該蓄尿バッグの吊下げ孔に挿入されるか又は当該蓄尿バッグの吊下げハンガーが引っ掛けられる吊下げフック部と、
を備えていることを特徴とする車椅子用蓄尿バッグ取付け具。
【請求項２】
点滴棒の下端部が挿入されて、当該点滴棒を垂直に支持する筒状の点滴棒支持部が、使用状態で垂直配置されるように、前記フレーム嵌着部に対して傾斜して一体に設けられて、前記吊下げフック部は、筒状の当該点滴棒支持部の両側に配置された一対のフック部単体で構成されることを特徴とする請求項１に記載の車椅子用蓄尿バッグ取付け具。
【請求項３】
前記フレームを構成していて、最も下方に水平に配置された最下方水平フレーム部、又は同じくフレームを構成していて、前記フットフレーム部と連続して後方に延設された中間水平フレーム部のいずれかに係止されることで、前記フレーム嵌着部の回動と斜下方へのスライドとの双方を防止する回動・スライド防止部が、当該フレーム嵌着部に一体に設けられていることを特徴とする請求項１又は２に記載の車椅子用蓄尿バッグ取付け具。
【請求項４】
前記フレーム嵌着部は、一対の半割円筒状の分割嵌着部が同一軸心上に所定間隔をおき、しかも１８０°位相がずれて配置された状態で連結部を介して一体に連結された構造であることを特徴とする請求項１ないし３のいずれかに記載の車椅子用蓄尿バッグ取付け具。
【発明の詳細な説明】
【技術分野】
【０００１】
本発明は、尿道カテーテルを用いて排尿を行う患者が車椅子で移動する際に、当該患者の座姿勢を害することなく、車椅子に蓄尿バッグを簡単に支持できる車椅子用蓄尿バッグ取付け具に関するものである。
【背景技術】
【０００２】
尿道カテーテルを用いて排尿を行う患者が車椅子で移動可能なように、蓄尿バッグを車椅子に取付可能とする構造として、特許文献１に開示のものが知られている。
【０００３】
しかし、上記構造では、袋状の蓄尿バッグの上端部に、面ファスナー等の紐状の取付手段を一体に設けることで、当該取付手段を車椅子のフレームに連結することで、車椅子におけるレッグサポータの直後の部分に蓄尿バッグを垂れ下げる構成である。
【０００４】
蓄尿バッグの支持部には、種々の構造があるが、使用頻度の高い通常の蓄尿バッグは、その上端部の中央部に引掛け用の凹部が設けられるか、或いは引掛けハンガーが一体に設けられている。
【０００５】
よって、特許文献１の構成では、使用頻度の高い通常の蓄尿バッグには備えていない紐状の取付手段を当該蓄尿バッグの上端部に一体に設ける必要があり、通常の蓄尿バッグは、使用できない問題がある。
【先行技術文献】
【特許文献】
【０００６】
【特許文献１】特開２０１５−１２８５０４号公報
【発明の概要】
【発明が解決しようとする課題】
【０００７】
本発明は、尿道カテーテル患者が車椅子に座った状態で排尿が可能なように、蓄尿バッグを車椅子に簡単に着脱できるようにすることを課題としている。
【課題を解決するための手段】
【０００８】
上記の課題を解決するための請求項１の発明は、車椅子のフレームの前部に、左右一対のフットサポートを取付けるために、当該フレームに後傾姿勢で一体に連結された左右一対のフットフレーム部の一方に蓄尿バッグを取付けるための蓄尿バッグ取付け具であって、
前記一対のフットフレーム部の一方に着脱可能に嵌着されるフレーム嵌着部と、
前記フレーム嵌着部に一体に設けられて、前記フットフレーム部の外側に前記蓄尿バッグが吊下げ配置されるように、当該蓄尿バッグの吊下げ孔に挿入されるか又は当該蓄尿バッグの吊下げハンガーが引っ掛けられる吊下げフック部と、
を備えていることを特徴としている。
【０００９】
請求項１の発明によれば、車椅子の前部に設けられた一方のフットフレーム部に、フレーム嵌着部を介して蓄尿バッグ取付け具を取付けると、当該フレーム嵌着部に一体に設けられた吊下げフック部は、前記フットフレーム部の外側に前記蓄尿バッグが吊下げ配置されるように、側方に向いて配置される。蓄尿バッグの吊下げ孔に前記吊下げフック部を挿入するか、或いは蓄尿バッグの吊下げハンガーを前記吊下げフック部に引っ掛けることで、車椅子の一方の側方に蓄尿バッグが吊り下げられる。
【００１０】
蓄尿バッグは、車椅子の前輪の前方であって、しかも一方のフットサポートの側方の空間に吊り下げ配置される。当該空間に吊り下げ配置された蓄尿バッグは、車椅子の座部よりも低い位置に配置されるので、患者の尿は、尿道カテーテル及び排尿チューブを介して自然に排出されて蓄尿バッグに蓄積される。
【００１１】
請求項２の発明は、請求項１の発明において、点滴棒の下端部が挿入されて、当該点滴棒を垂直に支持する筒状の点滴棒支持部が、使用状態で垂直配置されるように、前記フレーム嵌着部に対して傾斜して一体に設けられて、前記吊下げフック部は、筒状の当該点滴棒支持部の両側に配置された一対のフック部単体で構成されることを特徴としている。
【００１２】
請求項２の発明によれば、車椅子に対して蓄尿バッグのみならず、点滴棒も支持することができ、尿道カテーテルを装着した患者は、車椅子で移動中において排尿と薬液の投与との双方を行える。また、前記吊下げフック部は、筒状の当該点滴棒支持部の両側に配置された一対のフック部単体で構成されるので、当該吊下げフック部に吊り下げられた蓄尿バッグは、一方のフットフレーム部と点滴棒とで内側から支持されるので、当該蓄尿バッグの吊下げ状態が安定化する。
【００１３】
請求項３の発明は、請求項１又は２の発明において、前記フレームを構成していて、最も下方に水平に配置された最下方水平フレーム部、又は同じくフレームを構成していて、前記フットフレーム部と連続して後方に延設された中間水平フレーム部のいずれかに係止されることで、前記フレーム嵌着部の回動と斜下方へのスライドとの双方を防止する回動・スライド防止部が、当該フレーム嵌着部に一体に設けられていることを特徴としている。
【００１４】
請求項３の発明によれば、フレーム嵌着部に一体に設けられた回動・スライド防止部が、車椅子のフレームを構成する最下方水平フレーム部又は中間水平フレーム部のいずれかに係止されるので、車椅子による移動時において、蓄尿バッグ取付け具の全体の僅かな回動と、フットフレーム部に沿って斜下方へのスライドとを防止できて、車椅子のフレームに対して蓄尿バッグ取付け具をしっかり取付けることができる。
【００１５】
請求項４の発明は、請求項１ないし３のいずれかの発明において、前記フレーム嵌着部は、一対の半割円筒状の分割嵌着部が同一軸心上に所定間隔をおき、しかも１８０°位相がずれて配置された状態で連結部を介して一体に連結された構造であることを特徴としている。
【００１６】
請求項４の発明によれば、車椅子の一方のフットフレーム部に対する蓄尿バッグ取付け具のフレーム嵌着部の取付けが容易であって、しかも容易に取り外されることなく、フットフレーム部に対してフレーム嵌着部が取付けられる。
【発明の効果】
【００１７】
本発明によれば、車椅子の前部に設けられた一方のフットフレーム部に、フレーム嵌着部を介して蓄尿バッグ取付け具を取付けると、当該フレーム嵌着部に一体に設けられた吊下げフック部は、前記フットフレーム部の外側に前記蓄尿バッグが吊下げ配置されるように、側方に向いて配置され、蓄尿バッグの吊下げ孔に前記吊下げフック部を挿入するか、或いは蓄尿バッグの吊下げハンガーを前記吊下げフック部に引っ掛けることで、車椅子の一方の側方の座部よりも低い位置に蓄尿バッグが吊り下げられ、患者の尿は、尿道カテーテル及び排尿チューブを介して自然に排出されて蓄尿バッグに蓄積される。
【００１８】
また、点滴棒の下端部が挿入されて、当該点滴棒を垂直に支持する筒状の点滴棒支持部が、使用状態で垂直配置されるように、前記フレーム嵌着部に対して傾斜して一体に設けられて、前記吊下げフック部は、筒状の当該点滴棒支持部の両側に配置された一対のフック部単体で構成することで、車椅子に対して蓄尿バッグのみならず、点滴棒も支持することができ、尿道カテーテルを装着した患者は、車椅子で移動中において排尿と薬液の投与との双方を行える。
【図面の簡単な説明】
【００１９】
【図１】本発明の実施例１の蓄尿バッグ取付け具Ａ1 が取付けられた車椅子Ｗの斜視図である。
【図２】車椅子Ｗに取付けられた蓄尿バッグ取付け具Ａ1 に対する蓄尿バッグＢ1 及び点滴棒Ｒの配置を示す斜視図である。
【図３】車椅子Ｗのフットフレーム部８に対する蓄尿バッグ取付け具Ａ1 の取付けの前後を示す斜視図である。
【図４】車椅子Ｗのフットフレーム部８に取付けた蓄尿バッグ取付け具Ａ1 に蓄尿バッグＢ1 が吊り下げ支持されると共に、点滴棒支持筒部２２に点滴棒Ｒの下端部が挿入支持された状態の側面図である。
【図５】（ａ），（ｂ）は、それぞれ車椅子Ｗのフットフレーム部８に対して蓄尿バッグ取付け具Ａ1 を取付ける前後の斜視図である。
【図６】（ａ），（ｂ）は、それぞれ蓄尿バッグ取付け具Ａ1 を異なる方向から見た斜視図である。
【図７】（ａ）は、蓄尿バッグ取付け具Ａ1 の平面図であり、（ｂ）は、フットフレーム部８に蓄尿バッグ取付け具Ａ1 を取付けた状態の側面図及び各部分の横断面図である。
【図８】本発明の実施例２の蓄尿バッグ取付け具Ａ2 が取付けられた車椅子Ｗの部分斜視図である。
【図９】同じく部分側面図である。
【図１０】車椅子Ｗのフットフレーム部８に対する蓄尿バッグ取付け具Ａ2 の取付けの前後を示す斜視図である。
【図１１】（ａ），（ｂ）は、それぞれ蓄尿バッグ取付け具Ａ2 を異なる方向から見た斜視図である。
【発明を実施するための形態】
【００２０】
以下、複数の実施例を挙げて、本発明について更に詳細に説明する。
【実施例１】
【００２１】
最初に、図１ないし図５を参照して、車椅子Ｗの概略構成について説明し、その後に、当該車椅子Ｗの一対のフットフレーム部８の一方に取付けられる本発明に係る蓄尿バッグ取付け具Ａ1 について説明する。
【００２２】
車椅子ＷのフレームＦは、左右一対の中央、下部及び上部の各水平フレーム部１，２，３の後端部は、それぞれ後側垂直フレーム部４で連結されて、当該各垂直フレーム部４の上端部は、後方に直角に折り曲げられて手押し部５となっており、左右一対の中央、下部及び上部の各水平フレーム部１，２，３の前端部は、前側垂直フレーム部６で一体に連結され、更に、斜方向に沿って対向配置された中央水平フレーム部１と下部水平フレーム部２は、複数の連結フレーム部７で互いに連結されて、連結強度が高められている。左右一対の中央水平フレーム部１の前端部は、それぞれ斜前下方に傾斜されてフットフレーム部８が形成され、各フットフレーム部８の下端部には、フットサポート９が前後方向に沿って傾斜して取付けられている。
【００２３】
左右一対の下部水平フレーム部２の先端部は、それぞれ前記フットフレーム部８の下端に近い部分に一体に連結され、各下部水平フレーム部２における前側垂直フレーム部６と接続される部分の外側には、各キャスター１１を介して一対の前輪１２が支持されている。各後側垂直フレーム部４には、それぞれ後輪支持軸１３が水平となって一体に取付けられ、当該各後輪支持軸１３に後輪１４が取付けられ、後輪１４の外側には、ハンドリム１５が取付けられている。
【００２４】
左右一対の中央水平フレーム部１の間には、座部シート１６が張設され、左右一対の後側垂直フレーム部４には、背もたれシート１７が張設されている。また、左右一対のフットフレーム部８の斜方向に沿った中央部には、座部シート１６に座った患者の脚部を後方から支持するためのシート状のレッグサポート１８が張設されている。
【００２５】
次に、図６及び図７を参照して、実施例１の蓄尿バッグ取付け具Ａ1 について説明する。蓄尿バッグ取付け具Ａ1 は、樹脂の射出成形品であって、車椅子Ｗの一方のフットフレーム部８に着脱可能に嵌着されるフレーム嵌着部２１と、使用状態で垂直配置されるように、当該フレーム嵌着部２１に対して傾斜した状態で一体に設けられた円筒状の点滴棒支持筒部２２と、当該点滴棒支持筒部２２の上端部に近い部分の両側に一体に設けられた一対のフック部単体２３ａから成る吊下げフック部２３と、前記フットフレーム部８に対する前記フレーム嵌着部２１の回動と斜下方へのスライドの双方を防止するために、当該フレーム嵌着部２１の下端部に一体に設けられて、下部水平フレーム部２に嵌着係止される回動・スライド防止部２４とを備えている。
【００２６】
前記フレーム嵌着部２１は、一対の半割円筒状の分割嵌着部２１ａ，２１ｂが同一軸心上に所定間隔をおき、しかも１８０°位相がずれた状態で、連結部２１ｃを介して一体に連結された構成である。円筒状の点滴棒支持筒部２２は、フレーム嵌着部２１の連結部２１ｃに対して傾斜状態で対向配置され、その上下端部において、各連結部２５，２６を介してフレーム嵌着部２１の各分割嵌着部２１ａ，２１ｂに一体に連結されている。使用状態において、当該フレーム嵌着部２１は傾斜配置されるのに対して、当該点滴棒支持筒部２２は垂直配置されて、両者の間隔は、下端から上端に向けて広くなるため、上方の連結部２５は、下方の連結部２６よりも長くなっており、上方の連結部２５には、蓄尿バッグＢ1 に接続される排尿チューブ５４を挿入係止するための複数の挿入係止溝２５ａが形成されている。
【００２７】
フレーム嵌着部２１を構成する各分割嵌着部２１ａ，２１ｂは、車椅子Ｗの左右一対のフットフレーム部８の間に張設されたレッグサポート１８を挟んだ状態で、当該フットフレーム部８に隙間なく嵌着されるが、各分割嵌着部２１ａ，２１ｂを連結する連結部２１ｃには、その内側に存在するレッグサポート１８に対して非接触の状態で配置可能なように、切欠き部２１ｄ〔図６（ｂ）参照〕が全長に亘って設けられている。
【００２８】
前記回動・スライド防止部２４は、側面視で直角に折り曲げられて、フレーム嵌着部２１の下方の分割嵌着部２１ａに一体に連結された連結部２４ａと、当該連結部２４ａの自由端側に一体に設けられて、下部水平フレーム部２に嵌着係止される半円弧状の嵌着係止部２４ｂとから成る。
【００２９】
蓄尿バッグには、種々の構造のものがあるが、本発明の吊下げ対象としている蓄尿バッグＢ1 は、図１及び図２に示されるように、バッグ本体５１の上端部の中央部に吊下げ孔５２が形成されていたり、或いは図８及び図９に示されるように、バッグ本体５１の上端部に吊下げハンガー５３が設けられている構造のものが対象である。
【００３０】
点滴棒Ｒは、上端に薬液袋５６を吊り下げるための吊下げ竿５７が直交して水平に設けられた構造であって、その下端部が、蓄尿バッグ取付け具Ａ1 の点滴棒支持筒部２２に所定長だけ挿入されることで、車椅子Ｗに対して垂直状態で支持される。
【００３１】
そして、車椅子Ｗの一方のフットフレーム部８に蓄尿バッグ取付け具Ａ1 を取付けるには、以下のようにして行う。即ち、図５（ａ）に示されるように、フットフレーム部８に張設されたレッグサポート１８の一端の巻回部１８ａの部分において、蓄尿バッグ取付け具Ａ1 をほぼ水平に配置した後に、当該蓄尿バッグ取付け具Ａ1 の全体をほぼ９０°回動させることで、レッグサポート１８の一端の巻回部１８ａの上下の各部分に各分割嵌着部２１ａ，２１ｂをそれぞれ嵌着させると共に、回動・スライド防止部２４の先端の嵌着係止部２４ｂを下部水平フレーム部２に嵌着係止させると、図５（ｂ）及び図７（ｂ）に示されるように、レッグサポート１８の一端の巻回部１８ａを挟んだ形態で、フットフレーム部８に蓄尿バッグ取付け具Ａ1 が、回動と斜下方へのスライドの双方が防止された状態で取付けられる。
【００３２】
実施例１の蓄尿バッグ取付け具Ａ1 は、フレーム嵌着部２１を構成していて、軸心方向に沿って所定間隔をおいて配置された一対の半割円筒状の分割嵌着部２１ａ，２１ｂが１８０°位相がずれた状態となっているため、フットフレーム部８に対して嵌着された後には、通常の方向の外力では、外れないと共に、殆どの車椅子Ｗに装着されているレッグサポート１８の巻回部１８ａと干渉することなく、フットフレーム部８に取付けることが可能な利点がある。
【００３３】
患者Ｐは、図１に示されるように、蓄尿バッグＢ1 の排尿チューブ５４が人体に接続された状態で、車椅子Ｗの座部シート１６に座り、蓄尿バッグＢ1 は、その吊下げ孔５２に、車椅子Ｗのフットフレーム部８に取付けられた蓄尿バッグ取付け具Ａ1 の一対のフック部単体２３ａを挿入することで、当該一対のフック部単体２３ａで構成される吊下げフック部２３に吊り下げる。これにより、蓄尿バッグＢ1 は、前輪１２の前方であって、車椅子Ｗにおけるフットフレーム部８の側方の空間部に吊下げ配置され、その配置位置は、患者Ｐの腰部よりも低いので、車椅子Ｗに座った状態又は車椅子Ｗの移動中において、尿道カテーテルを用いた排尿を行える。
【００３４】
また、蓄尿バッグ取付け具Ａ1 は、同一の取付け具により、蓄尿バッグＢ1 の吊り下げと、点滴棒Ｒの支持との双方を行えるため、尿道カテーテルを装着した患者に対して薬液の投与も行えるため、極めて便利であり、いずれか一方のみの使用も勿論可能である。
【実施例２】
【００３５】
次に、図８〜図１１を参照して、本発明の実施例２の蓄尿バッグ取付け具Ａ2 について説明する。実施例２の蓄尿バッグ取付け具Ａ2 は、実施例１の蓄尿バッグ取付け具Ａ1 に対してフレーム嵌着部３１及び回動・スライド防止部３４の構成が異なるのみで、残りの部分は、当該蓄尿バッグ取付け具Ａ1 と同一構成であるので、同一又は同等部分には同一符号又は同一符号に「’」を付し、異なる部分についてのみ説明する。
【００３６】
蓄尿バッグ取付け具Ａ2 は、図８〜図１１に示されるように、使用状態において点滴棒支持筒部２２が垂直に配置されるように、フレーム嵌着部３１に対して当該点滴棒支持筒部２２が傾斜配置されて、使用状態における上端部及び下端部が連結部２５’及び同２６’を介して一体に連結されている。フレーム嵌着部３１は、全長に亘って半割円筒状をなしていて、上下端部の所定長の部分の上部及び下部の各嵌着部３１ａ，３１ｂは、半円弧状の横断面の中心角は、１８０°よりも僅かに大きくなっているのに対して、当該各嵌着部３１ａ，３１ｂを連結している連結部３１ｃの半円弧状の横断面の中心角は、１８０°よりも小さくなっていて、上下端部の各嵌着部３１ａ，３１ｂが、車椅子Ｗのフットフレーム部８に嵌着される構成となっている。
【００３７】
蓄尿バッグ取付け具Ａ2 は、レッグサポート１８の両端の巻回部１８ａと干渉を避けて、フットフレーム部８に取付ける必要があるため、当該フットフレーム部８におけるレッグサポート１８よりも上方の部分に、フレーム嵌着部３１の上下の各嵌着部３１ａ，３１ｂが嵌着され、この状態では、フットフレーム部８に対してフレーム嵌着部３１の回動は斜下方へのスライドを許容してしまうので、上部の嵌着部３１ａに、中央水平フレーム部１に嵌着係止される回動・スライド防止部３４が一体に設けられている。回動・スライド防止部３４は、フレーム嵌着部３１の上部嵌着部３１ａから車椅子Ｗの後方に向けて水平に延びるＬ字形の連結部３４ａの先端部に、前記中央水平フレーム部１に対して側方から嵌着係止される半リング状の嵌着係止部３４ｂが一体に設けられた構成である。半リング状の当該嵌着係止部３４ｂは、中央水平フレーム部１に対してフレーム嵌着部３１の嵌着方向は反対側（中央水平フレーム部１の内側）から嵌着される構成になっている。
【００３８】
そして、図１０に示されるように、車椅子のフットフレーム部８に対して蓄尿バッグ取付け具Ａ2 のフレーム嵌着部３１を傾斜させた状態に配置させ、この状態で、回動・スライド防止部３４の嵌着係止部３４ｂを中央水平フレーム部１の内側に配置させた状態で、フレーム嵌着部３１をフットフレーム部８に、その外側から嵌着させると共に、前記嵌着係止部３４ｂを中央水平フレーム部１の内側から嵌着させると、蓄尿バッグ取付け具Ａ2 は、車椅子Ｗのフットフレーム部８に回動と斜下方へのスライドとの双方が防止された状態で、当該フットフレーム部８に取付けられる。
【００３９】
なお、蓄尿バッグＢ2 は、吊下げハンガー５３を備えていて、一対のフック部単体２３ａには、吊下げ孔５２を備えた蓄尿バッグＢ1 のみならず、当該吊下げハンガー５３を備えた蓄尿バッグＢ2 を吊り下げることも可能である。
【００４０】
なお、いずれの蓄尿バッグ取付け具Ａ1 ，Ａ2 においても、吊下げフック部２３は、蓄尿バッグＢ1 の吊下げ孔５２に挿入できたり、或いは蓄尿バッグＢ2 の吊下げハンガー５３を吊り下げることができれば、上記した一対のフック部単体２３ａからなる構造に限定されず、いかなる構造であってもよい。
【００４１】
なお、いずれの蓄尿バッグ取付け具Ａ1 ，Ａ2 においても、不用な場合には，取付け時と逆の操作を行うことで、簡単に取り外すことができて、一般の車椅子Ｗとして使用できる。
【符号の説明】
【００４２】
Ａ1.Ａ2 ：蓄尿バッグ取付け具
Ｂ1.Ｂ2 ：蓄尿バッグ
Ｆ：フレーム
Ｐ：患者
Ｒ：点滴棒
Ｗ：車椅子
２：下部水平フレーム部
３：上部水平フレーム部
８：フットフレーム部
２１，３１：フレーム嵌着部
２１ａ，２１b ：分割嵌着部
２１ｃ：連結部
２３：吊下げフック部
２３ａ：フック部単体
２４，３４：回動・スライド防止部
２４ａ，３４ａ：連結部
２４ｂ，３４ｂ：嵌着係止部
５１：バッグ本体
５２：吊下げ孔
５３：吊下げハンガー
【図１】
2019030397.tif 000003
【図２】
2019030397.tif 000004
【図３】
2019030397.tif 000005
【図４】
2019030397.tif 000006
【図５】
2019030397.tif 000007
【図６】
2019030397.tif 000008
【図７】
2019030397.tif 000009
【図８】
2019030397.tif 000010
【図９】
2019030397.tif 000011
【図１０】
2019030397.tif 000012
【図１１】
2019030397.tif 000013